(57)【特許請求の範囲】
【請求項１】
軸方向に沿って配置される棒体と、
軸方向に沿って摺動可能に棒体に設置され、位置決め座及び、該位置決め座の下方に位置するチューブを備える、位置決めユニットと、
軸方向に沿って摺動可能に前記棒体に設置され、位置決め座の上方に位置する、摺動座と、
前記摺動座に枢設され、着座板を含む、着座ユニットと、
脚部ユニットと、
ジョイントロックユニットとを有し、
そのうち、脚部ユニットは、前記位置決め座に枢設される２本の第一脚部棒と、該２本の第一脚部棒に枢設される２本の第二脚部棒と、それぞれ前記チューブと該第二脚部棒との間に枢設される２本の制限棒と、一端が前記摺動座に、他端が前記第一脚部棒に連接される２本の引き棒とを備え、また、該ジョイントロックユニットは、前記脚部ユニットの２本の第一脚部棒のそれぞれに摺動可能に取り付けられる２本の摺動棒と、その両端がそれぞれ２本の前記第一脚部棒を通過するように２本の該摺動棒に固定される紐と、それぞれ２本の該摺動棒に対応するように２つの前記第二脚部棒に設置されると共に、回転軸と、該回転軸を円心とする摺接面と、該回転軸との距離が該摺接面の半径よりも小さいロック面を含む２つのロックブロックとを備えることを特徴とするステッキチェア。
【請求項２】
前記ジョイントロックユニットにおける摺動棒と前記第一脚部棒との間にそれぞれ弾性部材が取り付けられ、該該摺動棒が弾性部材による対応するロックブロックを押圧することを特徴とする請求項１に記載のステッキチェア。
【請求項３】
前記各摺動棒における、ロックブロックのロック面と対応する箇所に嵌め込み面が設けられ、また、該ロック面及び該嵌め込み面は平面であることを特徴とする請求項１に記載のステッキチェア。
【請求項４】
前記ジョイントロックユニットはさらに、２つのジョイント装着座を備え、該２つのジョイント装着座はそれぞれ、２本の前記第一脚部棒に取り付けられ、該各ジョイント装着座に組立凹部が形成され、前記各摺動棒に該組立凹部と対応する制限部が設けられることを特徴とする請求項１に記載のステッキチェア。
【請求項５】
第一脚部棒及び該第一脚部棒に枢設される第二脚部棒を備える脚部ユニットと、
前記脚部ユニットの第一脚部棒に摺動可能に取り付けられる摺動棒及び、該摺動棒と対応するように、前記第二脚部棒に設置されると共に、回転軸と、該回転軸を円心とする摺接面と、該回転軸との距離が該摺接面の半径よりも小さいロック面を備えるロックブロックを備えるジョイントロックユニット、を有し、
そのうち、ジョイントロックユニットはさらに、ジョイント装着座を備え、該ジョイント装着座は前記第一脚部棒に取り付けられ、該ジョイント装着座に組立凹部が形成され、前記摺動棒に該組立凹部と対応する制限部が設けられることを特徴とするジョイントロック装置。
【請求項６】
前記ジョイントロックユニットにおける摺動棒と前記第一脚部棒との間に弾性部材が取り付けられ、該摺動棒が弾性部材による対応するロックブロックを押圧することを特徴とする請求項５に記載のジョイントロック装置。
【請求項７】
前記各摺動棒における、ロックブロックのロック面と対応する箇所に嵌め込み面が設けられ、また、該ロック面及び該嵌め込み面が平面または円弧面であることを特徴とする請求項５に記載のジョイントロック装置。
【請求項８】
前記嵌め込み面と摺接面との接触が線接触であることを特徴とする請求項７に記載のジョイントロック装置。
【発明の詳細な説明】
【技術分野】
【０００１】
本発明は、特にジョイントロック装置を備えるステッキチェアに関するものである。
【背景技術】
【０００２】
既存のステッキチェアは、一般的な杖である棒体に折畳み椅子が設置されたものであり、例えば、使用者が歩行中に体調の変化などにより休憩したりして体力を回復させるためのものであるので、使いやすくて頑丈な支持効果が必要となる。
【０００３】
既存のステッキチェアは、例えば、米国の特許第２３８０４３７号、米国の特許第３９９９５６５号、台湾の特許公開第１０２１１３３３０号などに開示されており、それらは主に、支持棒と、該支持棒に折り畳んで収納することが可能な脚部材と、着座ユニットからなるものである。
【先行技術文献】
【特許文献】
【０００４】
【特許文献１】米国の特許第２３８０４３７号
【特許文献２】米国の特許第３９９９５６５号
【特許文献３】台湾の特許公開第１０２１１３３３０号
【発明の概要】
【発明が解決しようとする課題】
【０００５】
既存のステッキチェアを使用する場合は、例えば、展開や折り畳みの時に手で脚部材を操作する必要があることから、利便性が悪く、また、既存のステッキチェアは、ロック装置を有しないため、構造全体の安定性が低く、不注意で転倒し、怪我をする恐れがあった。
【課題を解決するための手段】
【０００６】
本発明に係るステッキチェアは、
軸方向に沿って配置される、棒体と、
軸方向に沿って摺動可能に棒体に設置され、位置決め座及び、該位置決め座の下方に位置するチューブを備える、位置決めユニットと、
軸方向に沿って摺動可能に前記棒体に設置され、位置決め座の上方に位置する、摺動座と、
前記摺動座に枢設され、着座板を含む、着座ユニットと、
脚部ユニットと、
ジョイントロックユニットとを有し、
そのうち、脚部ユニットは、前記位置決め座に枢設される２本の第一脚部棒と、該２本の第一脚部棒に枢設される２本の第二脚部棒と、それぞれ前記チューブと該第二脚部棒との間に枢設される２本の制限棒と、一端が前記摺動座に、他端が前記第一脚部棒に連接される２本の引き棒とを備え、また、該ジョイントロックユニットは、前記脚部ユニットの２本の第一脚部棒のそれぞれに摺動可能に取り付けられる２本の摺動棒と、その両端がそれぞれ２本の前記第一脚部棒を通過するように２本の該摺動棒に固定される紐と、それぞれ２本の該摺動棒に対応するように２つの前記第二脚部棒に設置されると共に、回転軸と、該回転軸を円心とする摺接面と、該回転軸との距離が該摺接面の半径よりも小さいロック面を含む２つのロックブロックとを備えるものである。
【０００７】
一方、本発明に係るジョイントロック装置は、
第一脚部棒及び該第一脚部棒に枢設される第二脚部棒を備える脚部ユニットと、
前記脚部ユニットの第一脚部棒に摺動可能に取り付けられる摺動棒及び、該摺動棒と対応するように、前記第二脚部棒に設置されると共に、回転軸と、該回転軸を円心とする摺接面と、該回転軸との距離が該摺接面の半径よりも小さいロック面を備えるロックブロックを備えるジョイントロックユニット、を有し、
そのうち、ジョイントロックユニットはさらに、ジョイント装着座を備え、該ジョイント装着座は前記第一脚部棒に取り付けられ、該ジョイント装着座に組立凹部が形成され、前記摺動棒に該組立凹部と対応する制限部が設けられるものである。
【発明の効果】
【０００８】
前記の構造によれば、本発明には以下に示すようなメリットを有する。
１．位置決めユニット、摺動座、着座ユニット、ジョイントロックユニットを互いにスムーズに組み立てて配置できることから、使用上の利便性が高い。
２．ジョイントロックユニットを設置することによって、頑丈な支持効果を提供する。
３．紐と弾性部材とを組み立てて配置されることから、ステッキチェアを自動的にロック位置に切り替えることができ、つまり、使用者がステッキチェアを折り畳んで収納する時は、ジョイントロックユニットが自動的に解錠位置に切り替わることから、余計な操作が不要である。つまり、ステッキチェアを展開すると、自動的にロック位置に切り替わり、ステッキチェアを折り畳んで収納する場合は、自動的に解錠位置に切り替わることから、使用上の利便性のみでなく、安全性にも優れている。
【図面の簡単な説明】
【０００９】
【図１】本発明を展開した状態を示す斜視図である。
【図２】本発明を展開した状態を示す側面図である。
【図３】本発明を折り畳んで収納した状態を示す斜視図である。
【図４】本発明における一部の構造を示す部分分解斜視図である。
【図５】本発明における位置決めユニット及び脚部ユニットの部分拡大斜視図である。
【図６】本発明を展開した状態を示す位置決めユニット及び脚部ユニットの部分拡大側面断面図である。
【図７】本発明において、ロック位置から解錠位置に切り替える操作を示す部分拡大側面断面図である。
【図８Ａ】本発明における位置決めユニットを折り畳んで収納した状態を示す部分拡大側面断面図である。
【図８Ｂ】図８Ａの部分拡大断面図である。
【図９】本発明を折り畳んで収納した状態を示す一部の構造の部分拡大斜視図である。
【図１０】本発明における着座板を折り畳んで収納した状態を示す部分拡大側面断面図である。
【図１１】本発明におけるジョイントロックユニットの部分拡大側面断面図である。
【発明を実施するための形態】
【００１０】
本発明に係るジョイントロック装置及びそのジョイントロック装置を備えるステッキチェアは、図１乃至図３に示すように、主に、棒体１０と、位置決めユニット２０と、摺動座３０と、着座ユニット４０と、ジョイントロックユニットを有する。
【００１１】
図１及び図９に示すように、前記棒体１０は、軸方向Ｌに沿って配置され、２本の軸方向Ｌに沿った摺動溝１１及び、該摺動溝１１の内部に取り付けられる止めネジ１２を備え、その摺動溝１１は、棒体１０の構造強度を強化するものであり、レールとして位置決めユニット２０及び摺動座３０を摺動させるので、操作上の安定性を向上させることができる。
【００１２】
前記位置決めユニット２０は、軸方向Ｌに沿って摺動可能に摺動溝１１に設置され、位置決め座２１と、チューブ２２と、連接棒２３と、復位バネ２４を備え、そのうち、位置決め座２１は、摺動溝１１に環装され、該チューブ２２は、位置決め座２１の下方に位置するように摺動溝１１に環装され、該連接棒２３は、位置決め座２１とチューブ２２とを連接するように取り付けられ、該復位バネ２４は、一端が位置決め座２１に、他端が摺動座３０に連接するように取り付けられる。
【００１３】
図２に示すように、前記摺動座３０は、軸方向Ｌに沿って摺動可能に棒体１０に設置され、且つ、位置決め座２１の上方に位置するように摺動溝１１に環装される。
【００１４】
図１及び図２に示すように、前記着座ユニット４０は、摺動座３０に枢設され、着座板４１と、２本の折り棒４２と、２本の連動棒４３を備え、そのうち、２本の折り棒４２は、位置決め座２１と着座板４１との間に連接され、２本の連動棒４３はそれぞれ、摺動座３０と２本の折り棒４２との間に連接され、該各連動棒４３は、一端が摺動座３０に、他端が対応する折り棒４２に連接される。
【００１５】
前記着座板４１は、メインプレート４１１及び２枚のサブプレート４１２を備え、該メインプレート４１１は、一端に内端部４１３が形成されると共に、他端に外端部４１４が形成され、該内端部４１３は摺動座３０に連接され、該メインプレート４１１の底面における、外端部４１４の近傍にフック４１５が設けられ、該２枚のサブプレート４１２はそれぞれ、メインプレート４１１の両側に取り付けられると共に、２本の折り棒４２に枢設される。
【００１６】
前記ジョイントロックユニットは、ロック位置及び解錠位置のうちの１つに位置し、脚部ユニット５０及びジョイントロックユニット６０を備え、該脚部ユニット５０は、２本の第一脚部棒５１と、２本の第二脚部棒５２と、２本の制限棒５３と、２本の引き棒５４を備え、該２本の第一脚部棒５１は、位置決め座２１に枢設され、該２本の第二脚部棒５２はそれぞれ、２本の第一脚部棒５１に枢設され、該２本の制限棒５３はそれぞれ、チューブ２２と第二脚部棒５２との間に枢設され、該各引き棒５４は、一端が摺動座３０に、他端が第一脚部棒５１に枢設される。
【００１７】
図４乃至図６及び図１１に示すように、前記ジョイントロックユニット６０は、紐掛け座６１と、紐掛けバネ６２と、２本の摺動棒６３と、紐６４と、２つのロックブロック６５と、２つの弾性部材６６と、掛け凹部６８を備え、該紐掛け座６１は、軸方向Ｌに沿って移動可能に位置決め座２１に取り付けられ、或いは、位置決め座２１と連接すると共に、止めネジ１２の下方に位置するように摺動可能に棒体１０に環装され、該紐掛けバネ６２は、紐掛け座６１と位置決め座２１との間に取り付けられ、該２本の摺動棒６３はそれぞれ、摺動可能に２本の第一脚部棒５１を通過するように取り付けられ、該各摺動棒６３は、嵌め込み面６３１及び制限部６３２を備え、該紐６４の両端はそれぞれ、紐掛け座６１の紐穴を通過しながら２本の摺動棒６３に固定され、該２つのロックブロック６５はそれぞれ、２本の摺動棒６３に対応するように２つの第二脚部棒５２に設置され、該各ロックブロック６５は、回転軸と、摺接面６５２と、ロック面６５３を備え、そのうち摺接面６５２は、回転軸を円心とし、該ロック面６５３と回転軸との距離は、摺接面６５２の半径よりも小さく、該ロック面６５３及び摺動棒６３の嵌め込み面６３１は、互いに対応する平面であり、該２つの弾性部材６６はそれぞれ、２つの摺動棒６３と２つの第一脚部棒５１との間に取り付けられる。この構成によれば、摺動棒６３を通常の状態において対応するロックブロック６５に押付け、また、該弾性部材６６は圧縮バネであってもよく、該掛け凹部６８は、開口が下向きとなると共に、フック４１５に対応するように、紐掛け座６１の底面に形成される。
【００１８】
さらに、前記各第一脚部棒５１に、互いに対応する弾性部材６６及び摺動棒６３を装着させるためのジョイント装着座６７が取り付けられ、該ジョイント装着座６７に、対応する制限部６３２を設置させるための組立凹部６７１が形成される。
【００１９】
図５及び図６に示すように、前記ジョイントロックユニット６０をロック位置に切り替えると、各摺動棒６３が、ロックブロック６５のロック面６５３と、対応する第二脚部棒５２との間に嵌め込まれると共に、該摺動棒６３の嵌め込み面６３１がロック面６５３に嵌め込まれる。この構成によれば、第一脚部棒５１及び第二脚部棒５２の相対位置が位置決め固定され、弾性部材６６が緩んだ状態となる。
なお、前記第二脚部棒５２は、第一脚部棒５１の延出線に位置することが好ましいが、実際の需要に応じてその設計を、第一脚部棒５１と第二脚部棒５２が直線状にならないように変更し、一定の角度（例えば、１５０度の角度）を有するように設置してもよい。
【００２０】
図７、図９、図１１に示すように、前記ジョイントロックユニット６０をロック位置から解錠位置に切り替えると、摺動棒６３がロックブロック６５のロック面６５３から離脱しながら、摺動棒６３及び第一脚部棒５１にあるジョイント装着座６７による弾性部材６６を圧縮する。そして、該ジョイントロックユニット６０が解錠位置に到達すると、摺動棒６３の嵌め込み面６３１と摺接面６５２との接触が線接触するため、第一脚部棒５１が第二脚部棒５２に対して枢動できるようになる。また、前記ジョイントロックユニット６０をロック位置及び解錠位置のうちの１つに切り替える時は、制限部６３２が組立凹部６７１の両端の間において摺動することから、組立凹部６７１により摺動棒６３の摺動範囲が制限される。
【００２１】
図２及び図６に示すように、本発明に係るステッキチェアを展開する時は、第一脚部棒５１及び第二脚部棒５２が棒体１０から離間して棒体１０を支えると共に、ジョイントロックユニットをロック位置にすることから、棒体１０を地面に斜めに立てることができる。
【００２２】
図２及び図７に示すように、本発明に係るステッキチェアを展開状態から折り畳んで収納する時は、摺動座３０及び位置決めユニット２０を棒体１０に沿って持ち上げ、摺動座３０を摺動させる同時に、引き棒５４による位置決めユニット２０及び第一脚部棒５１を連動して、紐掛け座６１を止めネジ１２に当接するまで上方へ移動させると共に、紐掛けバネ６２を圧縮させる。この構成によれば、紐掛け座６１を位置決め座２１に対して下方へ移動させながら紐６４を牽引し、これにより、摺動棒６３がロック面６５３から離れながら弾性部材６６を圧縮することから、摺動棒６３とロックブロック６５を解錠して解錠位置に切り替わるので、引き棒５４によりジョイントロックユニット６０を折り畳んで収納することができる。
【００２３】
図２及び図３に示すように、摺動座３０が、連動棒４３を介して折り棒４２と連動しながら位置決め座２１を枢動点とするように、上方へ回動すると、折り棒４２がサブプレート４１２の底部レールに沿って摺動すると共に、サブプレート４１２が棒体１０と接近するように下方へ回動し、その後、メインプレート４１１及び２枚のサブプレート４１２がＵ字形になるように棒体１０の周囲に折り畳まれて収納可能状態となる。
【００２４】
図３、図８Ａ、図８Ｂ、図１０に示すように、本発明に係るステッキチェアを折り畳んで収納する時は、第一脚部棒５１及び第二脚部棒５２を谷折りして、フック４１５を掛け凹部６８に掛止して復位バネ２４を引っ張ればよい。
【００２５】
一方、本発明に係るステッキチェアを収納状態から展開する時は、摺動座３０を、保持するための位置決め凹部から取り外す。尚、摺動座３０と位置決め凹部との関係は、本発明における重要なポイントではないため、詳細な説明は省略する。そして、重力により摺動座３０及び位置決めユニット２０を下方へ摺動させると共に、紐掛けバネ６２により紐掛け座６１を位置決め座２１に対して上方へ押し上げて、フック４１５と係合凹部５８を離間させる。この構成によれば、着座ユニット４０のロック状態を解除すると共に、復位バネ２４の復位弾力により摺動座３０と位置決めユニット２０との距離を短縮させ、引き棒５４が第二脚部棒５２に連動して棒体１０から離れる。
【００２６】
それと同時に、第二脚部棒５２がロックブロック６５と連動してロックブロック６５の円弧面を介して摺動棒６３に対して回動し、この時、紐掛け座６１は既に、止めネジ１２への当接状態から解除されていることから、紐６４及び弾性部材６６を緩ませることができるので、脚部ユニット５０を展開すると、摺動棒６３を自動的にロックブロック６５にロックしてロック位置に切り替わる。
【符号の説明】
【００２７】
１０    棒体
１１    摺動溝
１２    止めネジ
２０    位置決めユニット
２１    位置決め座
２２    チューブ
２３    連接棒
２４    復位バネ
３０    摺動座
４０    着座ユニット
４１    着座板
４１１  メインプレート
４１２  サブプレート
４１３  内端部
４１４  外端部
４１５  フック
４２    折り棒
４３    連動棒
５０    脚部ユニット
５１    第一脚部棒
５２    第二脚部棒
５３    制限棒
５４    引き棒
６０    ジョイントロックユニット
６１    紐掛け座
６２    紐掛けバネ
６３    摺動棒
６３１  嵌め込み面
６３２  制限部
６４    紐
６５    ロックブロック
６５２  摺接面
６５３  ロック面
６６    弾性部材
６７    ジョイント装着座
６７１  組立凹部
６８    掛け凹部
【図１】
0006284689.tif 000002
【図２】
0006284689.tif 000003
【図３】
0006284689.tif 000004
【図４】
0006284689.tif 000005
【図５】
0006284689.tif 000006
【図６】
0006284689.tif 000007
【図７】
0006284689.tif 000008
【図８Ａ】
0006284689.tif 000009
【図８Ｂ】
0006284689.tif 000010
【図９】
0006284689.tif 000011
【図１０】
0006284689.tif 000012
【図１１】
0006284689.tif 000013